(57)【特許請求の範囲】
【請求項１】
体内挿入部先端に開口する出口部と、操作部に開口する入口部とを結ぶ管路；該管路の入口部に設けた注入口容器；及びこの注入口容器に装着される、入口部から出口部側への流体流を許し出口部から入口部側への流体流の逆流を阻止する逆止弁を有する逆止弁アダプター；を有する内視鏡において、
上記注入口容器に、入口側から順に、大径部及び小径部を形成するとともに、この大径部と小径部の間に該大径部側から小径部側に徐々に内径を縮小する環状テーパ底部を形成し、
この注入口容器に装着される上記逆止弁アダプターに、注入口容器の入口側から順に、この注入口容器の大径部に液密に嵌合される液密嵌合筒状部と、この液密嵌合筒状部より小径で上記大径部との間に空間を形成する液流出部と、逆止弁保持部とを形成するとともに、上記液密嵌合筒状部から液流出部外面に連通する液流路を設け、
この逆止弁保持部に、注入口容器の環状テーパ底部に接触する、該環状テーパ底部と同心の環状脚部を有する弾性材料からなる逆止弁体を保持したことを特徴とする内視鏡。
【請求項２】
請求項１記載の内視鏡において、逆止弁体は、逆止弁アダプターの逆止弁保持部に保持される円盤部と、この円盤部から環状テーパ底部に向けて延びる上記環状脚部とを有している内視鏡。
【請求項３】
請求項１または２記載の内視鏡において、逆止弁体の環状脚部は、その内周面が一定径の筒状をなし、外周面が環状テーパ底部から離れるに従って拡径する円錐面からなる内視鏡。
【請求項４】
請求項１ないし３のいずれか１項記載の内視鏡において、逆止弁アダプターには、その液密嵌合筒状部の内周部に、上記管路に液体を注入する副送水注入アダプターを着脱可能に支持する環状凹部が形成されており、副送水注入アダプターは、液密嵌合筒状部への挿入部に、軸方向移動を規制して嵌めたスナップリングを有し、このスナップリングは、拡縮可能で拡径方向への付勢力を有し、縮径状態で液密嵌合部の環状凹部に嵌合可能で外環状凹部内において拡径して副送水注入アダプターを抜け止める内視鏡。
【請求項５】
請求項１ないし４のいずれか１項記載の内視鏡において、管路の入口部の注入口容器は、該入口部に対して着脱可能である内視鏡。
【発明の詳細な説明】
【０００１】
【技術分野】
本発明は、内視鏡に関し、特にその管路の入口部分に設ける逆止弁構造に関する。
【０００２】
【従来技術およびその問題点】
内視鏡では、送気、送水、処置具挿入等の目的で、体内挿入部先端に開口する出口部と、操作部に開口する入口部とを結ぶ各種の管路が備えられている。内視鏡の使用状態では、体腔内圧力が大気圧より高くなるため、これらの管路の入口部には一般に、該管路の入口部側から出口部への流体流を許し出口部から入口部側への流体流の逆流を阻止する、弾性材料からなる逆止弁を設けている。
【０００３】
この逆止弁構造の一形態として、管路入口部に注入口容器を設け、この注入口容器に着脱可能とした逆止弁アダプターに逆止弁体を支持する構造が知られている。従来、この逆止弁体は、注入口容器の内周面に接触する傘状に形成されていた。傘状の逆止弁体は、入口部から出口部側への流体圧力が加わった場合には、その外径を容易に縮めて流体流を許容するのに対し、これとは逆方向の流体流の圧力が加わった場合に径を広げようとすると、その拡径を注入口容器の内周面が阻止し、その結果逆止弁作用が得られる。
【０００４】
ところが、この従来の逆止弁構造では、例えば、瞬間的に大きい逆流による流体圧力が作用した場合に、傘状の逆止弁体が反転してしまい、逆止弁作用が得られない場合があることが判明した。逆止弁作用が損なわれると、体内挿入部の先端は体腔内に開口しているため、体腔内の汚物が逆流して操作部周辺に飛び散り、術者を汚染する。
【０００５】
【発明の目的】
本発明は、以上の問題意識に基づき、管路の入口部に設けた逆心弁の逆止弁作用が容易に損なわれることがない内視鏡を得ることを目的とする。
【０００６】
【発明の概要】
本発明は、体内挿入部先端に開口する出口部と、操作部に開口する入口部とを結ぶ管路；該管路の入口部に設けた注入口容器；及びこの注入口容器に装着される、入口部から出口部側への流体流を許し出口部から入口部側への流体流の逆流を阻止する逆止弁を有する逆止弁アダプター；を有する内視鏡において、注入口容器に、入口側から順に、大径部及び小径部を形成するとともに、この大径部と小径部の間に該大径部側から小径部側に徐々に内径を縮小する環状テーパ底部を形成し、この注入口容器に装着される逆止弁アダプターに、注入口容器の入口側から順に、この注入口容器の大径部に液密に嵌合される液密嵌合筒状部と、この液密嵌合筒状部より小径で上記大径部との間に空間を形成する液流出部と、逆止弁保持部とを形成するとともに、上記液密嵌合筒状部から液流出部外面に連通する液流路を設け、この逆止弁保持部に、注入口容器の環状テーパ底部に接触する、該環状テーパ底部と同心の環状脚部を有する弾性材料からなる逆止弁体を保持したことを特徴している。
【０００７】
この逆止弁構造によると、逆止弁体に設けた環状脚部が、環状テーパ底部に接触するため、入口部から出口部側への流体流の圧力では、環状脚部が容易に内方に弾性変形して流体流を許す一方、出口部から入口部側への流体流の圧力では、環状テーパ底部がその変形をよく抑制するため、逆流を防止することができる。環状テーパ底部のテーパの大きさは、逆止弁体の弾性を考慮し、このような逆止弁作用が得られるように定める。
【０００８】
逆止弁体は、具体的には例えば、逆止弁アダプターの逆止弁保持部に保持される円盤部と、この円盤部から環状テーパ底部に向けて延びる上記環状脚部とを有する形状とすることができる。また、逆止弁体の環状脚部は、その内周面が一定径の筒状をなし、外周面が環状テーパ底部から離れるに従って拡径する円錐面からなる形状とすると、良好な逆止弁作用と、洗浄の容易性の双方を得ることができる。
【０００９】
逆止弁アダプターには、その液密嵌合筒状部の内周部に、管路に液体を注入する副送水注入アダプターを着脱可能に支持する環状凹部を形成することができる。一方、副送水注入アダプターには、液密嵌合筒状部への挿入部に、軸方向移動を規制して嵌めたスナップリングを設ける。このスナップリングは、拡縮可能で拡径方向への付勢力を有し、縮径状態で液密嵌合部の環状凹部に嵌合可能で外環状凹部内において拡径して副送水注入アダプターを抜け止める。
【００１０】
管路の入口部の注入口容器は、該入口部に対して着脱可能とするのが実際的である。
【００１１】
【発明の実施の形態】
図７は、本発明の対象とする逆止弁を有する管路を備えた内視鏡１０を示している。内視鏡１０は、柔軟な体内挿入部１１とその基部に接続された操作部１２とを有し、体内挿入部１１の先端部には、対物レンズ１３、配光レンズ１４、送気送水ノズル１５、処置具挿通チャンネル出口部１６等が配置されている。対物レンズ１３による体腔内の像は、体内挿入部１１から操作部１２に至る光学ファイバ及び接眼レンズ１７によって観察され、配光レンズ１４には同様に体内挿入部１１から操作部１２及び照明経路１８に至る照明ファイバ及びその先端に接続される照明装置を介して照明光が与えられる。体内挿入部１１の先端部は、操作部１２に設けた湾曲操作部１９によって湾曲操作される。操作部１２には、処置具挿通チャンネル出口部１６に通じる処置具挿通チャンネルの入口部２０が設けられている。このような内視鏡は周知であり、光学ファイバ及び接眼レンズ１７の代わりに、ＣＣＤを用いた電子内視鏡も周知である。
【００１２】
以上の内視鏡１０には、本実施形態の対象とする逆止弁を有する管路として、操作部１２に副送水注入口（入口部）２１が設けられ、体内挿入部１１の先端に、この副送水注入口２１に連通する副送水出口穴（出口部）２２（図８）が設けられている。図１ないし図３は、この副送水注入口２１部分の拡大断面図であって、図１は逆止弁アダプター３０と副送水注入アダプター４０を装着した状態、図２は副送水注入アダプター４０を外した状態、図３はさらに逆止弁アダプター３０を外した状態を示している。
【００１３】
操作部１２には、内部に連通する副送水注入口突起２３が設けられ、この副送水注入口突起２３内に、非円形断面で周り止めされた金属パイプ接続部材２４が位置している。この金属パイプ接続部材２４には、金属パイプ２５が固定され、この金属パイプ２５の先端に、副送水出口穴２２に通じる軟質チューブが接続されている。これらの金属パイプ２５及び軟質チューブが、操作部１２の副送水注入口（入口部）２１と、体内挿入部１１の先端の副送水出口穴（出口部）２２を接続する管路である。
【００１４】
金属パイプ接続部材２４の図の上端部には、注入口容器（副送水シリンダ）２６が螺合固定されており、注入口容器２６と副送水注入口突起２３の間には、注入口容器２６を副送水注入口突起２３に固定するリテーナリング２７が螺合されている。２８は、シール用のＯリングである。
【００１５】
注入口容器２６は、注入口２１の入口部側から順に、大径部２６ａと小径部２６ｂ（２４の接続部）とを有しており、この大径部２６ａと小径部２６ｂの間に、大径部２６ａ側から小径部２６ｂ側に徐々に内径を縮小する環状テーパ底部２６ｃが形成されている。
【００１６】
逆止弁アダプター３０は、この注入口容器２６内に挿入され、リテーナリング２７に螺合固定されるもので、注入口容器２６の入口側から順に、注入口容器２６の大径部２６ａに液密に嵌合される液密嵌合筒状部３１と、この液密嵌合筒状部３１より小径で大径部２６ａとの間に環状の空間を形成する液流出部３２と、逆止弁保持部３３とを有している。液密嵌合筒状部３１の外端部には、回転操作部３４が一体に設けられていて、この回転操作部３４は、注入口容器２６の外に位置する。回転操作部３４の外面は環状カバー部材３５で覆われている。回転操作部３４と液密嵌合筒状部３１には、軸方向液流路３６が形成されており、この軸方向液流路３６は、液流出部３２の外周面に開口する径方向液流路３７に連通している。図６は、この逆止弁アダプター３０の単体形状を示している。
【００１７】
逆止弁アダプター３０の逆止弁保持部３３には、ゴム等の弾性材料からなる逆止弁体３８が支持されている。逆止弁保持部３３は、逆止弁アダプター３０の端面に円盤状空間部３３ａを形成する内方フランジ３３ｂを有しており、逆止弁体３８は、図４に単体形状を示すように、円盤状空間部３３ａに着脱可能に嵌まる円盤部３８ａと、この円盤部３８ａから同心に延びる環状脚部３８ｂとを有している。環状脚部３８ｂは、その内周面が一定径の筒状部３８ｃからなり、外周面が円盤部３８ａに近づくに従って拡径する円錐面３８ｄからなっている。この逆止弁体３８の環状脚部３８ｂは、その先端部が注入口容器２６の環状テーパ底部２６ｃと接触するもので、該環状テーパ底部２６ｃと同心をなしている。
【００１８】
逆止弁アダプター３０の回転操作部３４には、その内周面に、副送水注入アダプター４０を装着するための環状凹部３４ａが形成されている。一方、副送水注入アダプター４０の逆止弁アダプター３０への挿入部４１の外周部には、この環状凹部３４ａに対応する環状溝４２が形成されており、この環状溝４２にスナップリング４３が軸方向移動が生じないように、かつ拡縮が可能なように、嵌められている。すなわち、スナップリング４３は、不完全リング（Ｃ型リング）からなっており、その厚さ（軸方向長）が環状溝４２に隙間なく嵌まるように設定されている。このスナップリング４３は、その弾性に抗して縮めると、逆止弁アダプター３０の環状凹部３４ａに嵌めることができる。環状凹部３４ａに嵌まると、自身の弾性で拡径（復径）して環状凹部３４ａに係止され、副送水注入アダプター４０が抜け止められる。スナップリング４３の縮径は、回転操作部３４への一定以上の大きさの挿脱力を与えることで行うことができる。この副送水注入アダプター４０は、挿入部４１に連続する副送水管路４４を備えており、この副送水管路４４から洗浄液や染色液等の液体が供給される。
【００１９】
上記構成の本内視鏡は、次のように使用する。図２は、副送水注入口２１に副送水注入アダプター４０を装着しない状態を示している。この状態は、リテーナリング２７を介して副送水注入口突起２３に固定されている注入口容器２６に対し、逆止弁アダプター３０を挿入し、該逆止弁アダプター３０をリテーナリング２７に螺合固定した状態である。この状態では、逆止弁体３８の環状脚部３８ｂが注入口容器２６の環状テーパ底部２６ｃに当接し、その先端部が環状テーパ底部２６ｃの傾斜に沿って内方に弾性的に変形する。この状態で仮に金属パイプ２５を介して逆流圧力が逆止弁体３８に加わったとしても、環状脚部３８ｂの外周部は外側が高い環状テーパ底部２６ｃに当接しているために、環状脚部３８ｂが反転してしまうおそれがない。つまり、確実な逆止弁作用が得られる。
【００２０】
次に、副送水注入口２１から副送水出口穴２２に向けて各種液体を送給する副送水作業時には、図１に示すように、副送水注入アダプター４０の挿入部４１を逆止弁アダプター３０に挿入し、そのスナップリング４３を押し縮めて環状凹部３４ａに嵌める。挿入部４１と液密嵌合筒状部３１との間の液密はＯリング２８によって保持される。この状態において、副送水管路４４から洗浄液や染色液等の液体を供給すると、逆止弁アダプター３０の軸方向液流路３６と径方向液流路３７を介して、該液体が液流出部３２と大径部２６ａの間の隙間に流出し、この流体が逆止弁体３８の環状脚部３８ｂの外周に至る。すると、環状脚部３８ｂは注入口容器２６への装着状態で内側が低い環状テーパ底部２６ｃに当接して内方に弾性変形しているため、容易にさらに内方に弾性変形して流路を開き、金属パイプ２５から副送水出口穴２２にこの液体を供給する。臨床検査においては、このように、副送水出口穴２２から供給する洗浄液によって視野内にある汚物を除去したり、染色液を所望位置に供給する。
【００２１】
臨床検査の終了後、金属パイプ２５及び逆止弁アダプター３０を洗浄する際には、図３に示すように、副送水注入アダプター４０及び逆止弁アダプター３０をともに副送水注入口２１（注入口容器２６）から取り外す。この状態では、注入口容器２６から入れた洗浄ブラシ５０によって簡単に金属パイプ２５を洗浄することができる。また、逆止弁アダプター３０についても、図６に示すように、その軸方向液流路３６と径方向液流路３７に洗浄ブラシ５０を挿入して洗浄することができる。逆止弁体３８の環状脚部３８ｂは、円盤部３８ａを弾性変形させて逆止弁保持部３３の円盤状空間部３３ａ（内方フランジ部３３ｂ）から取り外すことができるから容易に洗浄できる。また、逆止弁体３８を逆止弁保持部３３に取り付けたまま洗浄する際にも、環状脚部３８ｂは、その内周面が定径筒状部３８ｃからなっているために、洗浄が容易であり、汚物が滞留するおそれが少ない。
【００２２】
図９、図１０は、参考に従来の傘状をなす逆止弁体３８’を示している。この傘状逆止弁体３８’は、注入口容器２６の筒状部内周面２６ａ’に当接するために、逆流圧力がかかったとき、図１０に示すように、比較的容易に（低い圧力で）反転して（ひっくり返って）しまい、逆止作用が損なわれることがあった。また、筒状部内周面２６ａ’に傘状逆止弁体３８’の弁部を当てつけるために、傘状逆止弁体３８’の外径は必ず筒状部内周面２６ａ’より大きいため、傘状逆止弁体３８’を有する逆止弁アダプターを装着する（挿入する）ときに弁部がひっくり返りやすい。弁部がひっくり返ると、正常な逆止弁作用が得られない。この従来装置に比し、本実施形態によれば、より確実な逆止作用が得られる。
【００２３】
【発明の効果】
本発明は、体内挿入部先端に開口する出口部と操作部に開口する入口部とを結ぶ管路の入口部に注入口容器を設け、この注入口容器に、逆止弁を有する逆止弁アダプターを設けた内視鏡において、注入口容器に、環状テーパ底部を形成し、逆止弁アダプターに、この環状テーパ底部に接触する、該環状テーパ底部と同心の環状脚部を有する逆止弁体を保持したので、確実な逆止弁作用が得られる。
【図面の簡単な説明】
【図１】本発明による逆止弁を備えた内視鏡の一実施形態を示す使用状態の断面図である。
【図２】図１の使用状態から副送水注入アダプターを取り外した状態を示す断面図である。
【図３】図２の状態からさらに逆止弁アダプターを外して管路を洗浄している状態を示す断面図である。
【図４】逆止弁アダプターに取り付ける逆止弁単体の一実施形態を示す断面図である。
【図５】図１、図２及び図３のV矢視図である。
【図６】逆止弁アダプターを取り外し、洗浄している状態を示す断面図である。
【図７】内視鏡の一例の平面図である。
【図８】図７のVIII矢視図である。
【図９】従来の逆止弁を備えた内視鏡を示す、図２に対応する断面図である。
【図１０】図９において、逆止弁の逆止効果が損なわれた状態を示す断面図である。
【符号の説明】
１０  内視鏡
１１  体内挿入部
１２  操作部
２１  副送水注入口（入口部）
２２  副送水出口穴（出口部）
２３  副送水注入口突起
２４  金属パイプ接続部材
２５  金属パイプ（管路）
２６  注入口容器（副送水シリンダ）
２６ａ  大径部
２６ｂ  小径部
２６ｃ  環状テーパ底部
２７  リテーナリング
３０  逆止弁アダプター
３１  液密嵌合筒状部
３２  液流出部
３３  逆止弁保持部
３６  軸方向液流路
３７  径方向液流路
３８  逆止弁体
３８ａ  円盤部
３８ｂ  環状脚部
３８ｃ  定径筒状部
３８ｄ  円錐面
４０  副送水注入アダプター
【図１】
0004441067.tif 000002
【図２】
0004441067.tif 000003
【図３】
0004441067.tif 000004
【図４】
0004441067.tif 000005
【図５】
0004441067.tif 000006
【図６】
0004441067.tif 000007
【図７】
0004441067.tif 000008
【図８】
0004441067.tif 000009
【図９】
0004441067.tif 000010
【図１０】
0004441067.tif 000011